(57)【要約】【課題】所定方向に並設された複数のカーテン布をほぼ同じ位置に垂下する写真撮影装置を提供する。【解決手段】写真撮影装置のカーテンユニット３００は、その下面にガイド部材１００を備える。ガイド部材１００はカーテン布３０２Ａ〜３０２Ｄの主面に対して傾斜し、その幅はカーテン布３０２Ａ〜３０２Ｄの幅と同じ又はそれよりも広く、ガイド部材１００の幅方向はカーテン布３０２Ａ〜３０２Ｄの幅方向に並行しており、ガイド部材１００の下辺はカーテン布３０２Ａ〜３０２Ｄの幅方向に並行している。カーテンユニット３００から垂下されたカーテン布３０２Ａ〜３０２Ｄはともに、ガイド部材１００の上面をすべり降り、ガイド部材の下辺を支点に下方に折れ曲がって下方に垂下する。そのため、カーテン布３０２Ａ〜３０２Ｄの垂下する位置は同じになる。【選択図】図１０
2006189652.tif 000002
【特許請求の範囲】
【請求項１】
所定方向に並設され、昇降可能な複数のカーテン布と、
降ろされた前記カーテン布の主面とともに被写体を撮影する撮影手段と、
前記撮影手段により撮影された写真を出力する写真出力手段と、
前記カーテン布の下方に配置された第１のガイド部材とを備え、
前記ガイド部材の上面は前記降ろされたカーテン布の主面に対して傾斜し、前記ガイド部材の幅方向は前記カーテン布の幅方向に並行していることを特徴とする写真撮影装置。
【請求項２】
請求項１に記載の写真撮影装置であって、
前記ガイド部材の幅は前記カーテン布の幅と同じ又はそれよりも広く、前記ガイド部材の下辺は前記カーテン布の幅方向に並行していることを特徴とする写真撮影装置。
【請求項３】
請求項１又は請求項２に記載の写真撮影装置であって、
前記複数のカーテン布は前記被写体を間に挟んで前記撮影手段と反対側に配置され、前記第１のガイド部材の上面は前記撮影手段側から前記撮影手段と反対側に向かって下降していることを特徴とする写真撮影装置。
【請求項４】
請求項１又は請求項２に記載の写真撮影装置であって、
前記第１のガイド部材の上面は前記被写体側から前記撮影手段側に向かって下降していることを特徴とする写真撮影装置。
【請求項５】
請求項１〜請求項４のいずれか１項に記載の写真撮影装置であって、
前記第１のガイド部材の下辺近傍の上面が下方に曲がっていることを特徴とする写真撮影装置。
【請求項６】
請求項１〜請求項５のいずれか１項に記載の写真撮影装置であって、
前記第１のガイド部材の上面には樹脂が形成されていることを特徴とする写真撮影装置。
【請求項７】
請求項１〜請求項６のいずれか１項に記載の写真撮影装置であって、
前記第１のガイド部材は前記撮影手段の撮影範囲よりも外側に配置されることを特徴とする写真撮影装置。
【請求項８】
請求項１〜請求項７のいずれか１項に記載の写真撮影装置であってさらに、
前記複数のカーテン布を内部に収納するための筐体を備え、
前記筐体の下面のうち前記カーテン布の下方に位置する部分にカーテン布の幅よりも広い開口部が形成され、
前記第１のガイド部材は前記筐体の下面に固定されることを特徴とする写真撮影装置。
【請求項９】
請求項１に記載の写真撮影装置であって
前記第１のガイド部材は前記カーテン布のうち前記撮影手段側に位置する１又は２以上のカーテン布の下方に配置され、
前記写真撮影装置はさらに、
前記カーテン布のうち前記撮影手段と反対側に位置する１又は２以上のカーテン布の下方に配置された第２のガイド部材を備え、
前記第２のガイド部材の上面は前記降ろされたカーテン布の主面に対して傾斜し、前記第２のガイド部材の幅方向はカーテン布の幅方向に並行しており、
前記第１及び第２のガイド部材の下辺は互いに対向し、
前記第１のガイド部材の上面は前記撮影手段側から前記撮影手段と反対側に向かって下降し、
前記第２のガイド部材の上面は前記撮影手段と反対側から前記撮影手段側に向かって下降していることを特徴とする写真撮影装置。
【発明の詳細な説明】
【技術分野】
【０００１】
本発明は写真撮影装置に関し、さらに詳しくは、被写体をカメラで撮影し、撮影した写真をシールシートに印刷して販売する写真撮影装置に関する。
【背景技術】
【０００２】
ゲームセンタなどの遊戯施設には、利用者を被写体としてカメラで撮影し、その写真をシールシートに印刷して販売する写真撮影装置が設置されている。最近では、撮影画像をタブレットディスプレイなどに表示し、付属のタッチペンで文字や図形などを入力できる、「落書き」や「お絵描き」と呼ばれる編集機能を備えたものが一般的になっている。編集機能で入力された画像は撮影画像と合成され、その合成画像がプリンタでシールシートに印刷され、利用者に提供される。
【０００３】
最近の写真撮影装置では、利用者が撮影時の背景を選択し、好みの背景で撮影することができる。写真撮影装置の天井には図２３に示すカーテンユニット３００が設置される。カーテンユニット３００は撮影方向に配列された複数のロールカーテン３０１を備える。撮影時、利用者により選択されたロールカーテン３０１のカーテン布３０２がカーテンユニット３００の下面開口部３０５から垂下される。これにより利用者は好みのカーテン布を撮影時の背景にすることができる。
【０００４】
しかしながら、各ロールカーテン３０１のカーテン布３０２は互いに異なる位置に垂下される。図２４に示すように、ロールカーテン３０１Ａのカーテン布３０２Ａは地点Ｐ１に垂下されるが、ロールカーテン３０１Ｅのカーテン布３０２Ｅはカーテン布３０２Ａと異なる地点Ｐ２に垂下される。
【０００５】
写真撮影装置には、利用者及びカーテン布３０２を照らす照明ボックスが設けられるが、カーテン布３０２の垂下される位置が異なれば、各カーテン布３０２と照明ボックスとの距離が変わる。そのため、すべてのカーテン布３０２を均質に発色させることができず、照明ムラができる。クロマキ処理等により撮影画像を合成処理する場合、カーテン布３０２に照明ムラがあれば複雑な合成処理を施さなければならない。各カーテン布の垂下される位置が異なれば、カーテン布３０２とカメラとの間の距離もカーテン布３０２ごとに異なる。そのため、カーテン布３０２ごとにカメラの焦点もずれる。
【０００６】
さらに、複数のロールカーテン３０１のうちカメラに近いロールカーテン３０１からカーテン布３０２が垂下されれば、カメラとカーテン布３０２との間の空間である撮影空間が狭くなる。撮影空間が狭ければ、撮影時に利用者が立ち位置として選べる範囲が狭まる。写真撮影装置を大型化すれば撮影空間を広くすることができるが、遊戯施設内の占有面積も大きくなってしまう。
【０００７】
また、図２４において、利用者が背景としてカーテン布３０２Ｅを垂下して撮影した後、カーテン布３０２Ａを垂下して撮影する場合、利用者の立ち位置が地点Ｐ１とＰ２との間であれば、利用者の手前に背景となるカーテン布３０２Ａが下がってしまう。
【特許文献１】特開昭５５−８１３２８号公報
【特許文献２】特開２０００−２６７１７９号公報
【特許文献３】特開２００３−１９０００２号公報
【発明の開示】
【発明が解決しようとする課題】
【０００８】
本発明の目的は、所定方向に並設された複数のカーテン布をほぼ同じ位置に垂下する写真撮影装置を提供することである。
【０００９】
本発明のもう１つの目的は、所定方向に並設された複数のカーテン布を垂下しても撮影空間を広く取れる写真撮影装置を提供することである。
【課題を解決するための手段及び発明の効果】
【００１０】
本発明による写真撮影装置は、所定方向に並設され昇降可能な複数のカーテン布と、撮影手段と、写真出力手段と、第１のガイド部材とを備える。撮影手段は、降ろされたカーテン布の主面とともに被写体を撮影する。写真出力手段は、撮影手段により撮影された写真を出力する。第１のガイド部材はカーテン布の下方に配置され、ガイド部材の上面は降ろされたカーテン布の主面に対して傾斜し、ガイド部材の幅方向はカーテン布の幅方向に並行している。ここで、カーテン布はその上辺に取り付けられた巻付軸とともにロールカーテンを構成し、ロールカーテンから垂下されてもよい。また、カーテン布が蛇腹状になっており、折りたたまれることによりカーテン布が昇降されてもよい。
【００１１】
本発明による写真撮影装置では、複数のカーテン布の下方に第１のガイド部材が配置される。複数のカーテン布のうち、任意のカーテン布が降ろされると、そのカーテン布は第１のガイド部材の上面に当たり、第１のガイド部材の上面をすべり降りた後、第１のガイド部材の下辺を支点に下方に垂下する。そのため、全てのカーテン布はほぼ同じ位置に垂下する。
【００１２】
好ましくは、ガイド部材の幅はカーテン布の幅と同じ又はそれよりも広く、ガイド部材の下辺はカーテン布の幅方向に並行している。
【００１３】
第１のガイド部材の幅をカーテン布の幅と同じ又はそれより広くし、第１のガイド部材の下辺をカーテン布の幅方向に並行にすることにより、第１のガイド部材をすべり降りたのち第１のガイド部材の下辺から下方に垂下したカーテン布の主面はゆがまない。
【００１４】
好ましくは、複数のカーテン布は被写体を間に挟んで撮影手段と反対側に配置され、第１のガイド部材の上面は撮影手段側から撮影手段と反対側に向かって下降している。
【００１５】
この場合、所定方向に並設された複数のカーテン布のうち、撮影手段側に並設されたカーテン布が垂下する位置は、第１のガイド部材がない場合に垂下される位置よりも撮影手段と反対側になる。そのため、垂下されたカーテン布と撮影手段との間の空間である撮影空間は、第１のガイド部材がない場合よりも広くなる。
【００１６】
好ましくは、第１のガイド部材の上面は被写体側から撮影手段側に向かって下降している。
【００１７】
好ましくは、第１のガイド部材の下辺近傍の上面が下方に曲がっている。
【００１８】
カーテン布は、ガイド部材をすべり降り、ガイド部材の下辺で折れ曲がって下方に垂下するが、第１のガイド部材の下辺近傍の上面が下方に曲がっていれば、カーテン布の折れ曲がる部分に掛かる負荷が軽減される。そのため、カーテン布が痛みにくくなる。
【００１９】
好ましくは、第１のガイド部材の上面には樹脂が形成されている。
【００２０】
この場合、ガイド部材の上面に樹脂が形成されるため、カーテン布がガイド部材の上面をすべりやすくなる。
【００２１】
好ましくは、第１のガイド部材は撮影手段の撮影範囲よりも外側に配置される。
【００２２】
この場合、被写体及びカーテン布の主面とともに第１のガイド部材が写真に含まれるのを防止できる。
【００２３】
好ましくは、写真撮影装置はさらに、複数のカーテン布を内部に収納するための筐体を備える。筐体の下面のうちカーテン布の下方に位置する部分にカーテン布の幅よりも広い開口部が形成され、第１のガイド部材は筐体の下面に固定される。複数のカーテン布を内部に収納するための筐体とは、たとえば複数のロールカーテンを内部に収納した筐体である。
【００２４】
複数のカーテン布を収納した筐体を備えた写真撮影装置は市場に出ているが、その既存の筐体の下面に第１のガイド部材を固定すれば、上記効果を得ることができる。
【００２５】
好ましくは、第１のガイド部材はカーテン布のうち撮影手段側に位置する１又は２以上のカーテン布の下方に配置される。写真撮影装置はさらに、第２のガイド部材を備える。第２のガイド部材は、カーテン布のうち撮影手段と反対側に位置する１又は２以上のカーテン布の下方に配置され、第２のガイド部材の上面は降ろされたカーテン布の主面に対して傾斜し、第２のガイド部材の幅方向はカーテン布の幅方向に並行している。第１及び第２のガイド部材の下辺は互いに対向し、第１のガイド部材の上面は撮影手段側から撮影手段と反対側に向かって下降し、第２のガイド部材の上面は撮影手段と反対側から撮影手段側に向かって下降している。
【００２６】
この場合、写真撮影装置は２つのガイド部材を有する。ガイド部材を２つにすれば、１つのガイド部材が受けるカーテン布数を減らすことができる。ガイド部材のカーテン布の主面に対する傾斜角度が同じである場合、２つのガイド部材を配置する方が、１つのガイド部材を配置するよりもガイド部材の高さを低く抑えることができる。
【００２７】
さらに、第１及び第２のガイド部材の下辺は互いに対向し、第１のガイド部材の上面は撮影手段側から撮影手段と反対側に向かって下降し、第２のガイド部材の上面は撮影手段と反対側から撮影手段側に向かって下降している。そのため、第１のガイド部材の上面をすべり降りたカーテン布が垂下する位置は、第２のガイド部材の上面をすべり降りたカーテン布が垂下する位置とほぼ同じになる。
【発明を実施するための最良の形態】
【００２８】
以下、図面を参照し、本発明の実施の形態を詳しく説明する。図中同一又は相当部分には同一符号を付してその説明は繰り返さない。
［外観構成］
【００２９】
まず図１〜図３を参照して、本発明の実施の形態による写真撮影装置の外観構成を説明する。
【００３０】
図１を参照して、この写真撮影装置は筐体１を備え、その両側に、撮影を行う撮影コーナ２と、「落書き」や「お絵描き」と呼ばれる編集を行う編集コーナ３とを有する。写真撮影装置はさらに、編集コーナ３側に設置された編集装置４と、撮影時に背景となるカーテン布を垂下する背景装置５と、撮影時に被写体を側面から照明するストロボ光源１１とを備える。
【００３１】
利用者６は撮影コーナ２に入り、筐体１側を向いて撮影を行なう。撮影後、利用者６は編集コーナ３に移動し、撮影した画像に編集装置４を使って編集を加える。
【００３２】
撮影コーナ２は、利用者６が出入りでき、かつ筐体１と利用者６との間に必要な距離を確保できるように、筐体１と背景装置５との間に適当な撮影空間を形成している。編集コーナ３は、利用者６が出入りできるように開放されているが、利用者６のプライバシを保護し、かつ外部からの光を遮断するために、サイドカーテン（図示せず）が取り付けられている。
【００３３】
写真撮影装置はさらに、筐体１の上面から両側に延びる天井フレーム７を備え、天井フレーム７は撮影コーナ２及び編集コーナ３の空間を画定している。
【００３４】
図１に示した背景装置５はカーテンユニット３００と、カーテンユニット３００の下面に取り付けられたガイド部材１００とを備える。背景装置５は写真撮影装置の上部に配設される。カーテンユニット３００は撮影方向に配列された複数のロールカーテン３０１を収納する。利用者が好みのロールカーテン３０１を選択したとき、選択されたロールカーテン３０１のカーテン布３０２がカーテンユニット３００の開口部から垂下される。カーテン布３０２は利用者６の手動操作で昇降されてもよく、また、操作部２３又はロールカーテン専用の操作部を操作することで自動的に昇降されてもよい。
【００３５】
ガイド部材１００はカーテンユニット３００の下面に固定される。ガイド部材１００の上面はロールカーテン３０１から垂下されたカーテン布３０２の主面に対して傾斜する。ガイド部材１００は、カーテンユニット３００から垂下したカーテン布３０２を受け、その上面でカーテン布３０２をすべらせた後、その下辺からカーテン布３０２を下方に垂下する。詳細は後述する。
【００３６】
以下、説明の便宜上、筐体１の撮影コーナ２側の面を正面とし、編集コーナ３側の面を背面とする。
【００３７】
図２を参照して、筐体１の正面には、利用者６を被写体として撮像するカメラ２１と、カメラ２１で撮影された被写体及び背景の画像をリアルタイムで表示して利用者６に撮影される予定の画像を目視で確認させるためのライブモニタ２２と、利用者６の操作を受付ける操作部２３と、デモ画面や撮影中の操作手順などを表示するディスプレイ２４と、対価である硬貨を投入するための硬貨投入口２５と、筐体１に収容された各種制御機器のメンテナンスなどを行なうためのフロントドア２６と、ＢＧＭや操作手順などのアナウンスを出力するスピーカ（図示せず）とが設けられている。
【００３８】
カメラ２１の周囲には、蛍光灯やストロボなどを内蔵し、被写体及び背景となるカーテン布３０２の主面を照明する照明ボックス２７が設けられている。
【００３９】
カメラ２１としては一般にデジタルカメラが用いられる。撮影条件（たとえばシャッタスピード、絞り値、露出補正、ホワイトバランスなど）の設定、変更、シャッタタイミングは、操作部２３からの入力又は予め設定されたデータに従って後述するコンピュータ装置（図４中の符号５０）により制御される。
【００４０】
筐体１には、内部の熱を逃がすためのファンのほか、撮影画像の配信やリモートメンテナンスなど、外部装置との通信を可能にするために、ＬＡＮ(Local Area Network)ケーブルの差込口などが設けられていてもよい。
【００４１】
図３を参照して、筐体１の背面に設置された編集装置４は、撮影コーナ２で撮影された画像を表示して画像の編集操作を受付けるタブレットディスプレイ３１と、所望の図形や文字を入力するためのタッチペン３２と、ＢＧＭや操作手順などのアナウンスを出力するスピーカ３３とを備える。
【００４２】
筐体１の側面には、箱形のプリント取出口８が設けられる。筐体１の内部にはプリンタ（図４中の符号５２）が設けられ、撮影された写真がプリンタでシールシートに印刷され、排出される。プリント取出口８付近には、印刷中ＬＥＤ（Light Emitting Diode）９と、印刷エラーＬＥＤ１０とが設けられ、これらが点灯又は点滅することで、印刷中であることを通知したり、印刷中に用紙切れ、インク切れ、用紙詰り、メカニカルエラーなどのエラーが発生していることを通知したりする。
［回路構成］
【００４３】
次に図４を参照して、上述した写真撮影装置の回路構成を説明する。
【００４４】
図４を参照して、この写真撮影装置は、本装置全体を中枢するコンピュータ装置５０と、コンピュータ装置５０からの指示に従って周辺機器を制御する制御部５１とを備える。
【００４５】
コンピュータ装置５０は、ＣＰＵ(Central Processing Unit)５０１と、半導体メモリ５０２と、ドライバ５０３と、記憶部５０４と、通信部５０５とを備える。
【００４６】
ドライバ５０３は、カメラ２１、タブレットディスプレイ３１、プリンタ５２などの周辺機器を駆動する。記憶部５０４は、本装置を動作させるためのプログラム及び動作に必要な画像データ、音声データ、撮影された画像、入力された編集画像などを記憶する。通信部５０５は、ＬＡＮケーブルを介して外部装置と通信する。
【００４７】
コンピュータ装置５０は、本装置に電源が投入されると、プログラムが起動し、カメラ２１のシャッタタイミング、ライブモニタ２２及びディスプレイ２４の表示、プリンタ５２の出力、並びにタブレットディスプレイ３１の表示を制御する。
【００４８】
コンピュータ装置５０はまた、プログラム及びタブレットディスプレイ３１から入力された編集操作に従って指示信号を制御部５１に送信する。
【００４９】
プリンタ５２は、撮影されかつ編集された画像をシールシートに印刷する。ここでは、写真をシールシートに印刷する場合を例に挙げて説明するが、シールシートに代えて、紙、金属、プラスチック、その他の印刷媒体に印刷する場合もある。プリンタ５２は用紙切れなどの状態をコンピュータ装置５０に通知し、コンピュータ装置５０はその通知に応じて指示信号を制御部５１に送信する。プリンタ５２としては一般に、昇華型、サーモオートクローム方式（光定着型直接感熱記録方式）などのプリンタが用いられる。
【００５０】
この写真撮影装置はさらに、電源スイッチ５３と、電源制御部５４と、ＵＰＳ（Uninterrupted Power Supply）５５とを備える。電源の投入及び切断は電源スイッチ５３で行なわれる。電源制御部５４は、ライブモニタ２２、スピーカ３３、照明装置３０などの電源系統を制御し、外部からそれらに供給される電源の電圧を安定させる。電源切断によりコンピュータ装置５０で動作しているプログラムが強制的に終了されると、動作は不安定になる。そのため、電源が落とされても、しばらくはＵＰＳ５５が電源をバックアップし、停電信号をコンピュータ装置５０に送信する。その間に、コンピュータ装置５０はプログラムの終了処理を実行し、プログラムを正常に終了させる。このとき、コンピュータ装置５０は終了信号をＵＰＳ５５に送信する。
【００５１】
制御部５１は、コンピュータ装置５０及び電源制御部５４の他に、操作部２３、スピーカ３３、サービスパネル５６、コイン制御部５７、背景装置５、印刷中ＬＥＤ９、印刷エラーＬＥＤ１０、及びストロボ制御部５８に接続される。
【００５２】
操作部２３は利用者６の操作を受付け、操作信号を制御部５１に送信する。コンピュータ装置５０は制御部５１から操作信号を受信し、操作内容に応じた処理を実行する。
【００５３】
制御部５１はコンピュータ装置５０から受信した指示信号に従ってスピーカ３３を制御し、スピーカ３３は遊技中に操作案内やＢＧＭなどを出力する。
【００５４】
サービスパネル５６は、投入された硬貨の枚数をカウントするコインカウンタ、印刷されたプリントの枚数をカウントするプリントカウンタ、スピーカ３３から出力される音声のボリュームを調整するための音量調整つまみ、本装置をテストモードに切り換えるためのテストボタン、硬貨を投入しなくても本装置を利用可能にするためのサービスボタンなどを備える。サービスパネル５６は、本装置の設置者が各種設定やメンテナンスを行なう際に用いられる。制御部５１は、コンピュータ装置５０から受信した指示信号に従ってサービスパネル５６に制御信号を送信する。サービスパネル５６は、制御信号に従ってコインカウンタやプリントカウンタを動作させる。ここでいう設置者は、本装置を設置して営業を行なっている店舗などの経営者、管理者、従業員であり、営業中に、利用者に対応できる者である。
【００５５】
コイン制御部５７は、硬貨投入口２５に投入された硬貨の正当性を判別し、硬貨の投入を表す検出信号を制御部５１に送信する。制御部５１はコンピュータ装置５０から受信した指示信号に従ってコイン制御部５７に制御信号を送信し、コイン制御部５７は制御信号に従って硬貨投入口２５を遮蔽する。これにより、たとえば遊技中に硬貨の投入を禁止することができる。
【００５６】
利用者６が操作部２３を操作して所望のロールカーテン３０１を選択すると、制御部５１は操作部２３から受信した操作信号に従って選択されたロールカーテン３０１からカーテン布３０２を垂下させる。コンピュータ装置５０から受信した指示信号に従ってロールカーテン３０１が自動的に選択される場合もある。
【００５７】
制御部５１は、プリンタ５２の状態に応じた指示信号をコンピュータ装置５０から受信し、印刷中ＬＥＤ９及び印刷エラーＬＥＤ１０を制御する。これにより、印刷中ＬＥＤ９又は印刷エラーＬＥＤ１０が点灯又は点滅する。
【００５８】
この写真撮影装置はさらに、ストロボ５９を備える。ストロボ５９は、蛍光灯などの照明装置３０とともに図２に示した照明ボックス２７に内蔵される。照明装置３０は被写体を常時照明するのに対し、ストロボ５９はカメラ２１のシャッタに同期して被写体を瞬間的に照明する。ストロボ制御部５８はカメラ２１に接続され、カメラ２１のシャッタタイミングに応じてシャッタ同期信号ＳＳを受信する。ストロボ制御部５８は、シャッタ同期信号ＳＳに応答してストロボ５９を閃光させる。
【００５９】
ストロボ制御部５８は、制御部５１からの制御信号に応じて閃光度などを設定してもよい。照明装置３０も同様に、制御部５１からの制御信号に応じて照度などを設定してもよい。
【００６０】
図示された形態は写真撮影装置の一例に過ぎない。したがって、図示されていない他の機能が備えられていてもよく、逆に、図示された機能が必ずしも全て備えられていなくてもよい。たとえばプリンタ５２は写真撮影装置本体に備えられていなくてもよい。この場合、写真撮影装置は画像データをＬＡＮなどの電気通信回線を介して外部に出力し、外部のプリンタで写真を印刷したり、携帯電話機に写真を保存したりしてもよい。
［動作］
【００６１】
次に図５を参照して、上述した写真撮影装置の動作を説明する。この動作は、ＣＰＵ５０１が記憶部５０４からメモリ５０２にプログラムを読出して実行することにより実現される。
【００６２】
まず電源スイッチ５３がオンにされると、各種装置に電力が供給され、記憶部５０４に格納されたプログラムが起動する。コンピュータ装置５０は、各種装置が正常に接続されているか否かをチェックし、初期化が必要な装置に対しては初期化を行なう（Ｓ１００）。その後、本装置の利用を促すタイトルデモをディスプレイ２４に表示し、同時に音声をスピーカ３３から出力する（Ｓ１０１）。
【００６３】
タイトルデモの表示中にテストボタンが押下された場合（Ｓ１０２でＹＥＳ）、本装置はメンテナンスを行なうためのテストモードに入る（Ｓ１０３）。テストモードでは、本装置の利用状況（たとえば硬貨の投入数など）を確認したり、カメラ２１、プリンタ５２などの周辺機器を調整したりすることができる。
【００６４】
一方、タイトルデモの表示中にテストボタンが押下されない場合（Ｓ１０２でＮＯ）、硬貨投入口２５で硬貨の投入を受付け、所定の対価を受領したか否かを判定する（Ｓ１０４）。所定の対価を受領していない場合（Ｓ１０４でＮＯ）、ステップＳ１０１に戻る。一方、コイン制御部５７で硬貨の正当性や枚数などが検知され、正常に硬貨を受付け、所定の対価を受領したと判定した場合（Ｓ１０４でＹＥＳ）、次のステップＳ１０５に進み、本装置の遊戯動作が開始される。
【００６５】
遊戯動作は撮影から始まる。カメラ２１で撮像される画像はライブモニタ２２でリアルタイムに表示される。利用者６は、ライブモニタ２２に表示された画像を見ながら、好みの表情やポーズを取る。カメラ２１で撮像される画像は、そのままライブモニタ２２に表示してもよいが、左右を反転して表示してもよい。左右を反転した場合、利用者６の姿を鏡に写す方向と同じ方向でライブモニタ２２に表示することができる。そのため、利用者６は、ライブモニタ２２を見ながら好みの表情やポーズを取るのが容易になる。
【００６６】
次に、撮影方法に複数のモードがある場合、その選択肢を操作用のディスプレイ２４に表示し、操作部２３のボタンで好みの撮影モードを利用者６に選択させる（Ｓ１０５）。ここで、撮影人数など、利用者６の状況を入力させてもよい。これにより、利用者の状況に応じて一連の遊技を提供することができる。そして、選択された撮影モードで撮影を開始する（Ｓ１０６）。
【００６７】
またここでは、撮影モードの選択だけでなく、撮影時の背景として所望のカーテン布３０２が選択される。利用者６の選択に基づいてロールカーテン３０１からカーテン布３０２が垂下される。カーテン布３０２が撮影モードに予め対応づけられており、選択された撮影モードに対応したカーテン布３０２が垂下されてもよい。
【００６８】
また、カメラ２１を好みの位置に移動させたり、カメラ２１を回転させたり、カメラ２１の向きを調整したりすることもできる。これらの指示は操作部２３などで受付ける。さらに、カメラ２１の向きやズームなどを指示するためのボタンなどがカメラ２１の近傍などに設けられている場合には、それによりカメラ２１の向きやズームなどの指示を受付ける。そして、選択された撮影モードや背景などで撮影を行なう。
【００６９】
撮影は、時間の経過とともに「３、２、１」などのカウントダウンをディスプレイ２４やスピーカに出力することにより自動で行なう。また、カメラ２１の近傍に設けられた撮影ボタン（図示せず）を押下することにより手動で行なってもよい。撮影は、コンピュータ装置５０からカメラ２１に撮影信号が送信されることでシャッタが切られ、実行される。ステップＳ１０６では、このような撮影を所定回数繰返し行なう。
【００７０】
撮影が終了すると、撮影した画像がディスプレイ２４に全て表示され、その中から所望の画像を操作部２３で利用者６に選択させ、キープ画像とする（Ｓ１０７）。
【００７１】
キープ画像が選択されると、利用者６に対して編集コーナ３に移動するように促がす案内をディスプレイ２４に表示する。案内に従って、利用者６は編集コーナ３に移動する。以降、利用者６の操作は編集コーナ３で行なわれる。
【００７２】
利用者６がプレイしていないとき、コンピュータ装置５０はタブレットディスプレイ３１に待機画面を表示している。ステップＳ１０７で選択されたキープ画像の準備ができると、キープ画像をタブレットディスプレイ３１に表示する。そして、キープ画像自体の明るさ調整（ハイキー調整）、回転などの画像処理を行なう画面が表示され、利用者６は好みに応じて撮影画像の画質を調整したり、撮影画像を加工したりすることができる（Ｓ１０８）。
【００７３】
次に、選択された撮影画像に対してタッチペン３２による編集入力を受付け、利用者６に所望の編集を行わせる（Ｓ１０９）。このとき、スピーカ３３から撮影案内、ＢＧＭ、効果音などを出力することにより、操作性（編集効率）を向上させることができる。
【００７４】
編集入力中、タブレットディスプレイ３１に、編集入力の対象とするキープ画像を切換えるためのボタンや、編集機能を選択するための「フレーム」、「ライン」、「スタンプ」、「ペン」、入力したスタンプ画像などの編集画像を消すための「けしごむ」、入力操作を１つ前の状態に戻すための「ひとつもどる」、画像入力を最初からやり直すための「はじめから」などのボタンを表示する。利用者６は、これらのボタンをタッチペン３２で押すことで使用するツールを選択する。さらに、色、柄などを選択した後、編集入力の対象となる選択画面が表示された編集領域上で編集入力を行なう。
【００７５】
編集中には、撮影画像と編集画像とをそれぞれ別の画層（レイヤ）に展開し、タブレットディスプレイ３１上にそれらを重ねて表示する。いずれの画像を上に表示するかは用途に応じて設定される。たとえば編集画像を撮影画像の前景にする場合は、編集画像が上の画層になる。編集画像はさらに、スタンプ画像の層、フレーム画像の層など、それぞれ複数の画層で構成されていてもよい。
【００７６】
編集入力時間は予め設定されている。そして、タブレットディスプレイ３１上に残り時間を表示し、カウントダウンを行なう。残り時間がゼロになると編集入力が終了する。画面に表示された「終了」のボタンを押すことで、残り時間がゼロになる前に編集入力を強制的に終了させることもできる。
【００７７】
編集入力時間内か、「終了」のボタンが押下されるまでは、編集を継続して行うことができる。編集入力が終了すると、キープ画像の枚数に応じて、予め決められた複数の印刷レイアウトをタブレットディスプレイ３１に表示し、利用者６の選択を受付ける（Ｓ１１０）。印刷レイアウトの選択を受付ける前に、編集された画像をタブレットディスプレイ３１に表示し、印刷対象となる画像の選択を受付けてもよい。印刷レイアウトの選択を受付けると、選択された印刷レイアウトに従って、生成された印刷画像データをプリンタ５２に出力する。さらに、利用者６をプリンタ５２の前に誘導するアナウンスをスピーカ３３又はタブレットディスプレイ３１より出力する。そして、プリンタ５２で印刷を実行し（Ｓ１１１）、プリント取出口８より利用者６に提供する（Ｓ１１２）。
【００７８】
以上、１組の利用者６が写真撮影装置を利用する場合の動作を説明したが、本実施の形態では編集コーナ３が撮影コーナ２と異なる場所に設置されているので、２組の利用者が同時に利用することもできる。この場合、先の利用者が撮影を終了し編集コーナ３に移動すると、ディスプレイ２４は待機画面を表示し、次の利用者の硬貨投入を受付ける。コインが投入されると、次の利用者の撮影が開始される。ここでは、撮影コーナ２と編集コーナ３とが異なる位置に設置されているが、これに限定されるものではなく、一箇所で撮影及び編集が行われるようにしてもよい。
【００７９】
また、２組の利用者が同時に利用する場合、コンピュータ装置５０が１台では多大な負荷がかかる場合もある。このため、撮影を制御するコンピュータ装置と編集を制御するコンピュータ装置とをそれぞれ設け、利用者の操作性を向上させることもできる。この場合、撮影に必要な装置は撮影用のコンピュータに接続され、編集に必要な装置は編集用のコンピュータに接続される。制御部５１やサービスパネル５６など、両方に必要な装置はその機能を分割して撮影用及び編集側用のコンピュータ装置に接続されてもよいし、どちらか一方のコンピュータ装置に接続されてもよい。
【００８０】
コンピュータ装置５０を動作させるプログラムは、フレキシブルディスク、ＣＤ−ＲＯＭ（Compact Disc-Read Only Memory）、ハードディスク、ＲＯＭ（Read Only Memory）、ＲＡＭ（Random Access Memory）、メモリカードなどのコンピュータ読取り可能な記録媒体に記録して提供してもよく、また、インターネットなどの電気通信回線を通じて提供してもよい。提供されたプログラムはハードディスクなどにインストールされ、実行される。
［背景装置］
【００８１】
図１、図６及び図７を参照して、背景装置５はカーテンユニット３００とガイド部材１００とを備える。カーテンユニット３００は撮影方向に階段状に配列された複数のロールカーテン３０１と、ロールカーテン３０１を内部に収納するユニット筐体３０４とを含む。
【００８２】
各ロールカーテン３０１は、巻付軸３０３と、巻付軸３０３の外周に巻き付けられ、巻付軸３０３の回転に基づいて昇降するカーテン布３０２とで構成される。
【００８３】
ユニット筐体３０４の下面のうち、ロールカーテン３０１の下方に位置する部分には、カーテン布３０２の幅よりも広い開口部３０５が形成される。各カーテン布３０２は開口部３０５を通って下方に垂下される。
【００８４】
利用者６が操作部２３を操作して所望のカーテン布３０２を選択したとき、又は、利用者６が撮影モードを選択することにより撮影モードに対応したカーテン布３０２が選択されたとき、制御部５１が操作部２３から受信した操作信号に従って背景装置５の図示しないモータを駆動する。その結果、選択されたカーテン布３０２を有するロールカーテン３０１の巻付軸３０３が回転し、カーテン布３０２が開口部３０５を通って下方へ垂下される。なお、隣接するカーテン布３０２同士が接触しないように、隣接するカーテン布３０２の間にはカーテン布３０２に平行な干渉防止板１０８が設置される。
【００８５】
ガイド部材１００は、ユニット筐体３０４の下面に取り付けられる。ガイド部材１００
の上面１０１はカーテンユニット３００から垂下されるカーテン布３０２の主面に対して傾斜し、カメラ２１側からカメラ２１と反対側に向かって下降している。さらに、ガイド部材１００の幅方向はカーテン布３０２の幅方向に並行している。ガイド部材１００の幅は図８に示すようにカーテン布３０２の幅と同じか、又は、図９に示すようにカーテン布３０２の幅より広い。また、ガイド部材の下辺はカーテン布３０２の幅方向に並行している。
【００８６】
ガイド部材１００は、その両側面を側面板１０２に接合される。ガイド部材１００は側面板１０２によりユニット筐体３０４の下面に固定される。
【００８７】
ガイド部材１００の上面１０１は垂下されるカーテン布３０２と接触する。ガイド部材１００の上面１０１にはフッ素樹脂やポリエチレンといった樹脂が形成されている。カーテン布３０２がガイド部材１００の上面１０１をすべりやすくするためである。
【００８８】
ガイド部材１００は複数のカーテン布３０２が垂下する位置を同じにする役割を有する。図１０において、ロールカーテン３０１Ａが選択された場合、ロールカーテン３０１Ａの巻付軸３０３が回転し、カーテン布３０２Ａが開口部３０５から下方に垂下される。カーテン布３０２Ａはガイド部材１００の上面１０１に当たり、上面１０１をすべり降りた後、ガイド部材の下辺を支点にして折れ曲がり、下方に垂下する。
【００８９】
ロールカーテン３０１Ｂ〜３０１Ｄが選択された場合も同様に、各カーテン布３０２Ｂ〜３０２Ｄはガイド部材１００の上面１０１をすべり降り、ガイド部材１００の下辺を支点にして折れ曲がり、下方に垂れる。
【００９０】
以上の動作により、カーテン布３０２Ａ〜３０２Ｄはすべて、ガイド部材１００の下辺を支点として折れ曲がり、下方に垂下する。そのため、これらのカーテン布３０２Ａ〜３０２Ｄの垂下する位置を同じにすることができる。
【００９１】
なお、カーテン布３０２Ｅはガイド部材１００の上面１０１に当たることなく垂下するが、他のカーテン布３０２Ａ〜３０２Ｄがカーテン布３０２Ｅと同じ位置に垂下するようにガイド部材１００の固定位置を調整すれば、すべてのカーテン布３０２Ａ〜３０２Ｅが垂下する位置を同じにすることができる。
【００９２】
上述したように、ガイド部材１００により全てのカーテン布３０２が垂下する位置を同じにすることができるため、カーテン布３０２と照明ボックス２７との距離はカーテン布３０２ごとに変化しない。そのため、すべてのカーテン布３０２を均質に発色させることができ、照明ムラが発生しない。さらに、カメラ２１とカーテン布３０２との距離もすべてのカーテン布３０２で同じになるため、カメラ２１の焦点がカーテン布３０２ごとにずれるといった問題は解消される。
【００９３】
また、ガイド部材１００の幅をカーテン布３０２の幅と同じ又はそれより広く、ガイド部材１００の下辺をカーテン布３０２の幅方向に並行であるため、ガイド部材１００の下辺から垂下したカーテン布３０２の主面はゆがまない。
【００９４】
ガイド部材１００は、既に市場に出ている写真撮影装置の既存のカーテンユニット３００に取り付けることができる。そのため、既存のカーテンユニット３００自体を改良したり破棄したりすることなく、既存のカーテンユニット３００の下面にガイド部材１００を固定すれば、上記効果を得ることができる。
【００９５】
また、ガイド部材１００は簡単な構造であり、複雑な機構を利用していないため、メンテナンスが容易である。
【００９６】
さらに、図１、図７に示すようにガイド部材１００はカメラ２１側からカメラ２１と反対側に向かって下降しているため、カーテン布３０２Ａ〜３０２Ｄはカメラ２１から従来よりも遠い位置に垂下する。そのため、垂下したカーテン布３０２とカメラ２１との間の撮影空間は従来よりも広くなる。
【００９７】
なお、背景装置５は、ガイド部材１００がカメラ２１の撮影範囲よりも外側となるように設置される。被写体及びカーテン布３０２の主面とともにガイド部材１００が写真に含まれるのを防止するためである。図１ではカーテンユニット３００を写真撮影装置の天井よりも高い位置に配置することにより、ガイド部材１００が撮影範囲よりも外側に配置されるようにしたが、他の方法によりガイド部材１００を撮影範囲の外側に配置してもよい。たとえば、図１１に示すように、カーテンユニット３００を写真撮影装置の天井の下に配置する場合、ガイド部材１００が撮影範囲に入らないようにガイド部材１００の上面１０１とカーテンユニット３００の下面とで形成される角度を小さくすればよい。この場合、カーテン布３０２がガイド部材１００の上面１０１ですべりにくくなるため、ガイド部材１００の上面１０１には高滑性の樹脂が形成されるのが好ましい。
【００９８】
以上、本発明の実施の形態を説明したが、本発明は上述した形態に限定されるものではない。
【００９９】
上述したガイド部材１００の幅は、カーテン布３０２の幅と同じか、又はそれよりも広いが、図１２に示すようにガイド部材１００の幅がカーテン布３０２よりも狭くてもよい。また、図１３に示すようにガイド部材１００の幅が上辺から下辺に向かって徐々に狭くなり、ガイド部材１００の下辺の幅がカーテン布３０２の幅よりも狭くなってもよい。さらに、図１４に示すように幅の狭い複数のガイド部材１００をカーテンユニット３００の下辺に並設してもよい。
【０１００】
さらに、上述したガイド部材１００に代えて、図１５に示すようなガイド部材１１０を取り付けてもよい。ガイド部材１１０の下辺近傍の上面１１１は下方に曲がっているため、ガイド部材１１０の下辺でカーテン布３０２に掛かる負担が緩和される。そのため、ガイド部材１００よりもカーテン布３０２が痛みにくい。
【０１０１】
また、ガイド部材１００の縦断面は直線であったが、図１６及び図１７に示すように、縦断面が曲線のガイド部材１２０又は１３０を取り付けてもよい。また、図１８のように、カーテンユニット３００の下面のうち、開口部３０５を挟んでガイド部材１１０と反対側にカーテン布３０２の主面と並行なガイド部材１４０を取り付けてもよい。
【０１０２】
さらに、図１９に示すように、ガイド部材１００をロールカーテン３０１Ａ及び３０１Ｂの下方に配置し、ガイド部材１５０をロールカーテン３０１Ｄ及び３０１Ｅの下方に配置してもよい。ガイド部材１５０の上面はカーテン布３０２の主面に対して傾斜しており、その幅方向はカーテン布３０２の幅方向に並行である。さらに、ガイド部材１５０の幅はカーテン布３０２の幅と同じ又はそれより広く、ガイド部材１５０の下辺はカーテン布３０２の幅方向に並行である。ガイド部材１５０の上面はカメラ２１と反対側からカメラ２１に向かって下降している。ガイド部材１００の下辺とガイド部材１５０の下辺とは対向している。
【０１０３】
２つのガイド部材１００及び１５０を取り付けることにより、ガイド部材が１つの場合よりもガイド部材の高さを低くできる。２つのガイド部材を取り付ける場合、１つのガイド部材の場合と比較して、１つのガイド部材が受けるカーテン布の数が減る。ガイド部材の上面とカーテンユニット３００の下面との角度が同じであれば、受けるカーテン布の数が少ない程ガイド部材を下方に伸ばさなくてよい。そのため、図１９のように２つのガイド部材を用いた場合、ガイド部材の高さを低くできる。
【０１０４】
さらに、ガイド部材１００の下辺とガイド部材１５０の下辺とは対向し、ガイド部材１５０の上面はメラ２１と反対側からカメラ２１に向かって下降している。そのため、ガイド部材１５０の上面をすべり降りるカーテン布３０２Ｄ及び３０２Ｅが垂下する位置を、ガイド部材１００の上面をすべり降りるカーテン布３０２Ａ及び３０２Ｂが垂下する位置とほぼ同じにすることができる。なお、図１９ではカーテン布３０２Ｃはガイド部材１００及び１５０の上面に当たることなく、そのまま下方に垂下するが、他のカーテン布３０２Ａ、３０２Ｂ、３０２Ｄ、３０２Ｅがカーテン布３０２Ｃと同じ位置に垂下するようにガイド部材１００及び１５０の配置位置を調整すれば、すべてのカーテン布３０２Ａ〜３０２Ｅが同じ位置に垂下する。
【０１０５】
上述した写真撮影装置では、カーテンユニット３００のみを設置したが、図２０に示すようにカーテンユニット３００と筐体１との間の天井フレーム７上に新たなカーテンユニット４００を設置し、カーテンユニット４００の下にガイド部材１６０を取り付けてもよい。利用者６がカメラ２１に近づいてクローズアップ写真を撮影するとき、カーテンユニット４００のカーテン布が背景として利用される。ガイド部材１６０によりカーテンユニット４００の全てのカーテン布はほぼ同じ位置に垂下する。そのため、利用者６が垂下したカーテン布近傍に立てば、どのカーテン布を選択しても撮影時の利用者６の立ち位置は一定になる。なお、図２０ではガイド部材１６０の上面はカメラ２１と反対側からカメラ２１に向かって下降しているが、カメラ２１からカメラ２１と反対側に向かって下降していてもよい。
【０１０６】
また、上述した写真撮影装置では、カーテンユニット３００は複数のロールカーテン３０１を収納したが、図２１に示すようにカーテンユニット３００が蛇腹状に折りたたまれた複数のカーテン布３０２を収納してもよい。
【０１０７】
ガイド部材は、図２２に示すように複数のカーテン布のうち一部のカーテン布を受けるように設置されてもよい。この場合、ガイド部材により複数のカーテン布のうち一部のカーテン布を同じ場所に垂下させることができる。図２２では、ガイド部材１００によりカーテン布３０２Ａ及び３０２Ｂが同じ位置に垂下する。さらに、ガイド部材１００の設置場所を調整することによりカーテン布３０２Ｃもカーテン布３０２Ａ及び３０２Ｂと同じ位置に垂下する。
【０１０８】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【産業上の利用可能性】
【０１０９】
本発明による写真撮影装置は、既存のカーテンユニットを備えたシールプリント機に利用可能である。
【図面の簡単な説明】
【０１１０】
【図１】本発明の実施の形態による写真撮影装置の外観構成を示す側面図である。
【図２】図１に示した写真撮影装置を撮影コーナ側から見た斜視図である。
【図３】図１に示した写真撮影装置を編集コーナ側から見た斜視図である。
【図４】図１〜図３に示した写真撮影装置の回路構成を示す機能ブロック図である。
【図５】図１〜図４に示した写真撮影装置の動作を示すフロー図である。
【図６】図１中のカーテンユニット及びガイド部材の外観を示す斜視図である。
【図７】図６に示したカーテンユニット及びガイド部材の断面図である。
【図８】図６に示したカーテンユニット及びガイド部材の正面図である。
【図９】図８に示したガイド部材と異なる別のガイド部材の正面図である。
【図１０】図６に示したカーテンユニットからカーテン布を垂らした状態を示す概略図である。
【図１１】図６に示したガイド材と異なる別のガイド部材の断面図である。
【図１２】図６及び図１１に示したガイド部材と異なる、さらに別のガイド部材の正面図である。
【図１３】図６、図１１及び図１２に示したガイド部材と異なる、さらに別のガイド部材の正面図である。
【図１４】図６、図１１〜図１３に示したガイド部材と異なる、さらに別のガイド部材の正面図である。
【図１５】図６、図１１〜図１４に示したガイド部材と異なる、さらに別のガイド部材の断面図である。
【図１６】図６、図１１〜図１５に示したガイド部材と異なる、さらに別のガイド部材の断面図である。
【図１７】図６、図１１〜図１６に示したガイド部材と異なる、さらに別のガイド部材の断面図である。
【図１８】図６、図１１〜図１７に示したガイド部材と異なる、さらに別のガイド部材の断面図である。
【図１９】図６、図１１〜図１８に示したガイド部材と異なる、さらに別のガイド部材の断面図である。
【図２０】図１に示した写真撮影装置と異なる、別の写真撮影装置の側面図である。
【図２１】図６に示したカーテンユニットと異なる別のカーテンユニットの断面図である。
【図２２】図６、図１１〜図１９に示したガイド部材と異なる、さらに別のガイド部材の断面図である。
【図２３】従来のカーテンユニットの断面図である。
【図２４】従来のカーテンユニットから垂れたカーテン布の状態を示す概略図である。
【符号の説明】
【０１１１】
２１  カメラ
５２  プリンタ
１００，１１０，１２０，１３０，１４０，１５０，１６０  ガイド部材
３０１  ロールカーテン
３０２  カーテン布
３０４  ユニット筐体
３０５  開口部
【図１】
2006189652.tif 000003
【図２】
2006189652.tif 000004
【図３】
2006189652.tif 000005
【図４】
2006189652.tif 000006
【図５】
2006189652.tif 000007
【図６】
2006189652.tif 000008
【図７】
2006189652.tif 000009
【図８】
2006189652.tif 000010
【図９】
2006189652.tif 000011
【図１０】
2006189652.tif 000012
【図１１】
2006189652.tif 000013
【図１２】
2006189652.tif 000014
【図１３】
2006189652.tif 000015
【図１４】
2006189652.tif 000016
【図１５】
2006189652.tif 000017
【図１６】
2006189652.tif 000018
【図１７】
2006189652.tif 000019
【図１８】
2006189652.tif 000020
【図１９】
2006189652.tif 000021
【図２０】
2006189652.tif 000022
【図２１】
2006189652.tif 000023
【図２２】
2006189652.tif 000024
【図２３】
2006189652.tif 000025
【図２４】
2006189652.tif 000026